(57)【特許請求の範囲】
【請求項１】
サイクロン式ミスト除去装置用のサイクロンであって、
略円錐台形状を有し、入口開口を通じて内側チャンバに流体が流入することができるように開口する流入端と対向する流出端とを有する内側チャンバを囲む内壁と、
略円錐台形状を有し、前記内壁と自身との間の空間内に外側チャンバを創出するために、前記内壁を取り囲みかつ前記内壁から外側に間隔を開けて配置される外壁と、を有し、  前記内側チャンバの前記対向する流出端は、前記内側チャンバの中に流体が存在する時に、流体の一部が前記対向する流出端を通り、前記外側チャンバを通ることなく、前記サイクロンの外へ通過することができるように開口しており、
前記外側チャンバは、一方の端及び反対側の端を有し、前記一方の端が前記流入端に近接しており、
さらに、
前記内壁の中に形成された開口であって、前記内側チャンバの中に流体が存在する時にその流体の他の部分が当該開口を通って前記外側チャンバに流れ込むことを可能にする開口と、
前記内側チャンバの中に流体が存在する時に、旋回運動を前記流体に与える、前記内側チャンバの前記流入端に配置された旋回翼と、
前記外側チャンバの中に配置されたファイバパッドと、を有するサイクロン。
【請求項２】
前記ファイバパッドは、織り繊維または不織繊維を有する請求項１に記載のサイクロン。
【請求項３】
前記内壁の中の前記開口は、スリットである請求項１に記載のサイクロン。
【請求項４】
前記内側チャンバの前記流出端に配置され、前記内側チャンバの中まで内側に延びる縁を含む請求項１に記載のサイクロン。
【請求項５】
前記外側チャンバの前記反対側の端を閉鎖するように、前記内壁の前記流出端と前記外壁との間に延びるリングを含む請求項１に記載のサイクロン。
【請求項６】
前記外側チャンバの前記一方の端は、開口している請求項５に記載のサイクロン。
【請求項７】
前記外側チャンバは、前記一方の端が開口している請求項１に記載のサイクロン。
【請求項８】
トレイデッキの表面に設置された複数のサイクロンを有するサイクロン式ミスト除去装置であって、前記複数のサイクロンのそれぞれは、
略円錐台形状を有し、流体が入口開口を通じて内側チャンバへ流入できるように開口する流入端と対向する流出端とを有する内側チャンバを囲む内壁と、
略円錐台形状を有し、前記内壁と自身との間の空間内に外側チャンバを創出するために、前記内壁を取り囲みかつ前記内壁から外側に間隔を開けて配置される外壁と、を有し、  前記内側チャンバの前記対向する流出端は、前記内側チャンバの中に流体が存在する時に、流体の一部が前記対向する流出端を通り、前記外側チャンバを通ることなく、前記サイクロンの外へ通過することができるように開口しており、
前記外側チャンバは、一方の端及び反対側の端を有し、前記一方の端が前記流入端に近接しており、
さらに、
前記内壁の中に形成された開口であって、前記内側チャンバの中に流体が存在する時にその流体の他の部分が当該開口を通って前記外側チャンバに流れ込むことを可能にする開口と、
前記内側チャンバの中に流体が存在する時に、旋回運動を前記流体に与える、前記内側チャンバの前記流入端に配置された旋回翼と、
前記外側チャンバの中に配置されたファイバパッドと、を有するサイクロン式ミスト除去装置。
【請求項９】
前記ファイバパッドは、織り繊維または不織繊維を有する請求項８に記載のサイクロン式ミスト除去装置。
【請求項１０】
前記内壁の中の前記開口は、スリットである請求項８に記載のサイクロン式ミスト除去装置。
【請求項１１】
前記内側チャンバの前記流出端に配置され、前記内側チャンバの中まで内側に延びる縁を含む請求項８に記載のサイクロン式ミスト除去装置。
【請求項１２】
前記外側チャンバの前記反対側の端を閉鎖するように、前記内壁の前記流出端と前記外壁との間に延びるリングを含む請求項８に記載のサイクロン式ミスト除去装置。
【請求項１３】
前記外側チャンバの前記一方の端は、開口している請求項１２に記載のサイクロン式ミスト除去装置。
【請求項１４】
前記外側チャンバは、前記一方の端が開口している請求項８に記載のサイクロン式ミスト除去装置。
【請求項１５】
サイクロン式ミスト除去装置の中のサイクロンを通って流れる蒸気流の中の気体から液滴を分離する方法であって、
前記蒸気流が前記サイクロンの内側チャンバに流入した時に、前記蒸気流の中の液滴を前記内側チャンバの略円錐台形状の内壁の内面に対してまき散らす旋回動作を前記蒸気流に与えるために、前記サイクロンの中の旋回翼を通って前記蒸気流を送るステップと、
前記内壁の中のスリットを通って、前記内側チャンバを取り囲みかつ略円錐台形状の外壁と前記内壁との間の外側チャンバに、前記気体の一部と共に前記液滴の内の少なくともいくつかを送り込むことによって、前記内壁の前記内面から前記液滴の内の少なくともいくつかを取り除くステップと、
前記外側チャンバの中のファイバパッドを通って前記液滴と前記気体の前記一部とを送ることによって、前記気体の前記一部から前記液滴をエントレインメントの解消と共に分離するステップと、前記外側チャンバを通ることなく前記サイクロンから流出するように前記内側チャンバの開口した流出端を通って前記内側チャンバから前記気体の別の一部を取り除くステップと、を含む方法。
【請求項１６】
前記サイクロンから流出するように前記外側チャンバの開放端を通って前記ファイバパッドからエントレインメントの解消と共に分離した液滴を排出させることを含む請求項１５に記載の方法。
【発明の詳細な説明】
【技術分野】
【０００１】
発明の背景
本発明は、概して、流動する蒸気流の中の気体とのエントレインメントによって運ばれた液滴の分離用の装置に関し、より具体的には、サイクロン、サイクロン式ミスト除去装置および同じものを使用して流動する蒸気流の中の気体から液滴を分離する方法に関する。
【背景技術】
【０００２】
様々なプロセスにおいてプロセス効率を高め、製品損失を減らし、機器損害を防ぐために、蒸気流からの液滴およびミストの大容量の除去を提供するサイクロン式ミスト除去装置が使用される。ある従来タイプのサイクロン式ミスト除去装置では、ハウジングの内部に多数のサイクロンが並んで配置され、サイクロンを内蔵したその多数のハウジングは、容器の内部に配置されたトレイデッキの下面に設置される。各サイクロンは、円筒状または円錐台状の壁によって形成されかつ開放端を有する内側チャンバを有する。蒸気流は、ハウジングの床の中の開口を通過し、内側チャンバの流入端に流入する。液滴およびミストを壁の内面に衝突させてその上で融合させるために、旋回翼は、蒸気流に回転する旋回動作を引き起こす。液体が取り除かれた気体は、内側チャンバの流出端から軸方向に流出し、トレイデッキを通過した後に容器から取り除かれる。
【０００３】
サイクロンの壁の内面の上で融合した液体膜は、少量の気体によって、壁の中の狭い開口を通ってハウジングの開放空間に運び込まれる。次に、液体は、気体から分離され、ハウジングの床の上に堆積し、容器の最下部に送るためのドレインパイプに流入した後に取り除かれる。次に、ハウジングの開放空間に液体膜を運び込んだ気体は、サイクロンの内側チャンバの中に再循環される。
【０００４】
動作圧力の範囲全体にわたって高い分離効率を提供するために、サイクロン式ミスト除去装置の設計における改良を行なうと同時に、サイクロン式ミスト除去装置の加工と組立における複雑さを減らすことが求められている。
【発明の概要】
【０００５】
発明の要旨
一形態では、本発明は、サイクロン式ミスト除去装置用のサイクロンを指向する。サイクロンは、流入端と対向する流出端とを有する内側チャンバを囲む内壁と、内壁と自身との間の空間内に外側チャンバを創出するために、内壁を取り囲みかつ内壁から外側に間隔を開けて配置される外壁と、内側チャンバの中の流体が自身を通って外側チャンバに流れ込むことを可能にするために、内壁の中に形成された開口と、内側チャンバの流入端に配置された旋回翼と、外側チャンバの中に配置されたファイバパッドと、を有する。一実施形態では、内壁および外壁は、円錐台形状を有し、外側チャンバは、流体が開放端を通って外側チャンバから流出することを可能にするために、一方の端が開口している。
【０００６】
別の一形態では、本発明は、上記の多数のサイクロンが内部の流体流を受け止める側面の反対側のトレイデッキの側面に直接設置されたサイクロン式ミスト除去装置を指向する。サイクロンは、サイクロン式ミスト除去装置用のいくつかの従来の設計のように、ハウジングの内部でグループ化されないで、互いにサイクロンを分離する壁または構造体を用いずに、トレイデッキの上に単に設置される。
【０００７】
更なる一形態では、本発明は、上記のサイクロンおよびサイクロン式ミスト除去装置を使用して蒸気流の中の気体から液滴およびミストを取り除く方法を指向する。その方法は、気体流がサイクロンの内側チャンバに流入した時に、蒸気流の中の液滴を上述の内側チャンバの内壁の内面に対してまき散らす旋回動作を気体流に与えるために、サイクロンの中の旋回翼を通って蒸気流を送るステップと、上述の内壁の中のスリットを通って内側チャンバを取り囲む外側チャンバに上述の気体の一部と共に上述の液滴の内の少なくともいくつかを送り込むことによって、内壁の内面から上述の液滴の内の少なくともいくつかを取り除くステップと、上述の外側チャンバの中のファイバパッドを通って上述の液滴と気体の上述の一部とを送ることによって、気体の上述の一部から上述の液滴をエントレインメントの解消と共に分離するステップと、サイクロンから流出するように内側チャンバの開口した流出端を通って内側チャンバから上述の気体の別の一部を取り除くステップと、を含む。
【図面の簡単な説明】
【０００８】
図面の簡単な説明
【図１】図１は、容器の内部の開放内部領域内に配置された本発明の一実施形態に従うサイクロン式ミスト除去装置を示すために垂直断面で見た容器の側面図である。
【図２】図２は、トレイデッキの断片的部分の上に設置された図１に示すサイクロンの内の１つの、垂直断面で見た拡大側面図である。
【図３】図３は、サイクロンの内の１つの側面図である。
【発明を実施するための形態】
【０００９】
詳細な説明
図面についてより詳細に説明するに当たり、まず図１について説明すると、容器は、符号１０によって概して示され、開放内部領域１４を定義する直立した円筒状のシェル１２を有する。容器１０は、ノックアウトドラム、蒸発器、蒸気ドラム、蒸留タワー、スクラバ、または内部で流体流からの液滴の除去が生じるべき他のあらゆる様々なタイプの容器であるかもしれない。シェル１２の予め選定された高さには、矢印１８によって明示された流体流を開放内部領域１４の中に導入するための流入ノズル１６が配置される。一実施形態では、流入ノズル１６は、半径方向のノズルである。別の一実施形態では、流入ノズル１６は、接線方向に向いたノズルである。
【００１０】
シェル１２には、矢印２２によって明示された処理済の流体流を容器１０から取り除くための上側の流出ノズル２０が配置される。一実施形態では、流出ノズル２０は、流入ノズル１６と略同じシェル１２の高さに配置される。図示された一実施形態では、流出ノズル２０は、流入ノズル１６の高さよりも上方のシェル１２の最上部に配置される。流出ノズル２０が、流入ノズル１６よりも上方に配置される場合には、流入した流体流１８の速度を低下させ、それを容器１０の断面全体にわたって水平方向に分配するために、開放内部領域１４の中の例えば流入ノズル１６の高さに蒸気分配器２４を配置することができる。容器１０の最下部に蓄積した液体２７を取り出すために、シェル１２の最下部に下側の流出ノズル２６が備えられる。
【００１１】
本発明のサイクロン式ミスト除去装置２８は、容器１０の開放内部領域１４の中のトレイデッキ３２の上に配置された予め選定された数の個別のサイクロン３０を有する。サイクロン式ミスト除去装置２８は、流入した流体流１８が処理済の流体流２２として流出ノズル２０を通って排出される前に、それから液滴およびミストを取り除くのに使用される。流体流１８の中の液滴のサイズを増大させるために、蒸気分配器２４とサイクロン式ミスト除去装置２８との間にメッシュパッド２９を配置することができるので、液滴は、サイクロン式ミスト除去装置２８の中でより容易に取り除かれる。
【００１２】
さらに図２および図３について説明すると、各サイクロン３０は、実質的に同じ構成であり、旋回翼３６から上向きに延びる内壁３４を有し、旋回翼３６は、流体流１８が旋回翼３６を通過した時にそれに回転運動を与える傾斜したブレード３８を有する。内壁３４は、流体流１８の一部が旋回翼３６を通過した後にその軸方向の流れを受け入れかつ開放端を有する内側チャンバ４０を定義する。一実施形態では、内壁３４は、形状が略円錐台状であり、別の一実施形態では、略円筒状である。他の形状も可能であり、発明の範囲内である。内壁３４は、多数の開口を含み、その開口は、一実施形態では、軸方向に延びる狭いスリット４２の形態であり、内壁３４を通って外側に流体を送ることを可能にする。スリット４２と組み合わせてまたはスリット４２の代わりに、他の実施形態の開口を使用することができる。
【００１３】
外壁４４と内壁３４との間の空間内に環状の外側チャンバ４６を創出するために、内壁３４を取り囲みかつ内壁３４から外側に間隔を開けた位置に外壁４４が配置される。一実施形態では、環状の外側チャンバ４６が均一な幅を有するように、外壁４４は、内壁３４に対して補完的な形状である円錐台形状を有する。別の一実施形態では、環状の外側チャンバ４６が均一な幅を有するように、外壁４４は、内壁３４に対して補完的な形状である円筒形状を有する。他の実施形態では、環状の外側チャンバ４６の幅が変化するように、外壁４４の形状は、内壁３４の形状に対して補完的でない必要がある。例えば、環状の外側チャンバ４６は、サイクロン３０の流入端よりも幅が狭いサイクロン３０の末端を有することができる。
【００１４】
外壁４４は、同じ軸方向の長さを有することができ、内壁３４と同一の広がりを持つように配置される。図示された一実施形態では、外壁４４は、内壁３４よりも短い軸方向の長さを有し、サイクロン３０の流出端での外壁４４および内壁３４のエッジが略同一平面内にあるように配置され、外壁４４の反対側のエッジは、内側チャンバ４０の流入端での内壁３４の一部４８が外壁４４によって取り囲まれないように、内壁３４に沿った中間位置に配置される。一実施形態では、外壁４４によって取り囲まれない内壁３４の一部４８は、円錐台形状ではなく円筒形状を有する。
【００１５】
環状の外側チャンバ４６の一方の端が開口している状態で環状の外側チャンバ４６の反対側の端を塞ぐまたは絞るために、サイクロン３０の流出端の外壁４４の末端には、内側に曲がったリング５０が形成または配置される。リング５０は、縁５２を形成するために、予め選定された距離だけ内壁３４の内側に延びることができる。一実施形態では、流体が隙間５４を通って内側チャンバ４０から流れ出し、環状の外側チャンバ４６に流れ込むことを可能にするために、内壁３４の末端とリング５０との間のスペーサ５５によって隙間５４が形成される。隙間５４は、流体が環状の外側チャンバ４６から内側チャンバ４０に流れ込むことも可能にする。別の一実施形態では、流体が環状の外側チャンバ４６から外壁４４の末端とリング５０との間の空間内に流出することを可能にするために、リング５０は、外壁４４とは別の部品として形成され、外壁４４と内壁３４の両方の末端よりもわずかに上方に間隔を開けて配置される。
【００１６】
各旋回翼３６は、さらに、関連したサイクロン３０の内壁３４の円筒部４８とほぼ同じ直径を有する円筒壁５６と、円筒壁５６の一方の端にありかつトレイデッキ３２に旋回翼３６をボルトで固定するためのベースフランジ５８と、サイクロン３０の内壁３４の円筒部４８の端にある結合フランジ６２に旋回翼３６をボルトで固定するための別のフランジ６０と、を含む。一実施形態では、旋回翼３６のブレード３８は、半径方向の内側のエッジがセンタハブ６４に、半径方向の外側のエッジが設置リング６６に取り付けられ、設置リング６６は、フランジ６０と６２との間に挟まれてそれらにボルトで固定される。図示された一実施形態では、２セットのブレード３８と、関連したセンタハブ６４と、設置リング６６と、が備えられる。ブレード３８の内の一方のセットは、旋回翼３６の円筒壁５６の内部に延び、ブレードの内の他方のセットは、サイクロン３０の内壁３４の円筒部４８の内部に延びる。流体流１８が旋回翼３６を通過した時のその圧力低下を減らすために、円筒壁５６の内部のブレード３８の仰角は、内壁３４の内部のブレード３８の仰角よりも大きくすることができる。別の一実施形態では、旋回翼３６の設置リング６６は、内壁３４の円筒部４８の内面に単に溶接され、それによって、円筒壁５６ならびにフランジ５８および６０の必要性がなくなる。その場合、内壁３４の円筒部４８の端のフランジ６２は、トレイデッキ３２に直接ボルトで固定される。
【００１７】
外側チャンバ４６の中には、流体流１８が外側チャンバ４６を通って流れた時にそれから液滴またはミストを取り除くためのエントレインメント解消装置が配置され、その一形態の装置は、ファイバパッド６８である。ファイバパッド６８は、織り繊維または不織繊維を有し、その上で滴の形態の液体またはミストが融合してより大きい液滴を形成し、次にその液滴は、ファイバパッド６８を通って流れ、トレイデッキ３２の上に流出する前に環状の外側チャンバ４６の開放端を通って流出する。ファイバパッド６８は、スリット４２を覆い、外側チャンバ４６の容積の予め選定された量、例えばその容積の５０％よりも大きい量またはその容積の全てまたは実質的に全ての量を満たす。ファイバパッド６８の密度および個別のファイバの厚さは、求められる分離効率を与えるように選定される。
【００１８】
一実施形態では、ファイバパッド６８の中に使用されるファイバは、金属、金属合金、ガラス、セラミック、炭素、または高分子材料で製作することができる。金属の例は、チタン、アルミニウム、および銅を含む。金属合金の例は、合金１００、３００、４００、６００、８００などのようなステンレス鋼および／またはニッケルに基づくものを含む。高分子材料の例は、ポリプロピレン、ポリフッ化ビニリデン、エチレン−塩化三フッ化エチレン、ポリテトラ−フルオロエチレン、ポリエステルファイバまたは炭素繊維を含む。
【００１９】
サイクロン３０が設置されるトレイデッキ３２は、略平坦であり、サイクロン３０の内側チャンバ４０に位置合わせされた一連の流路７０を有するので、流体流１８は、流路７０を通って流れ、サイクロン３０に流入することができる。一実施形態では、トレイデッキ３２は、垂直方向に延び、サイクロン３０は、流入ノズル１６に面した表面の反対側のトレイデッキ３２の表面から水平方向に延びる。図示された一実施形態では、トレイデッキ３２は、容器１０の断面全体にわたって水平方向に配置され、サイクロン３０は、トレイデッキ３２の上面よりも上方に垂直方向に延びる。トレイデッキ３２の１つ以上の開口７４から蒸気分配器２４よりも下方の高さまで、１つ以上のドレインパイプ７２が下向きに延びる。
【００２０】
本発明の方法では、流体流１８は、流入ノズル１６を通って容器１０に流入し、それがトレイデッキ３２の中の流路７０を通過することによってサイクロン式ミスト除去装置２８に流入した時に再分割される。再分割された流体流１８は、サイクロン３０の中の旋回翼３６を通過し、半径方向に延びる傾斜したブレード３８は、再分割された流体流１８が旋回翼３６を通過してサイクロン３０の内側チャンバ４０に流入した時にそれに旋回動作を与える。
【００２１】
旋回動作は、流体流１８の中の液滴またはミストを内壁３４の内面に対してまき散らす一方で、流体流１８の中の気体の大部分は、内側チャンバ４０を通って軸方向に流れ、内側チャンバ４０の開口した流出端を通ってサイクロン３０から流出する。内壁３４に対してまき散らされた液体は、融合して内壁３４に沿って動く液体膜になる。次に、液体膜は、流体流１８の中の気体のごく一部または非主要部分と共に内壁３４の中のスリット４２を通過することによって内側チャンバ４０から流出し、外側チャンバ４６に流入する。スリット４２を迂回した全ての液体膜は、内壁３４の最上部の縁５２によって捕らえられ、次に、流体流１８からの気体の別のごく一部と共に隙間５４を通って外側チャンバ４６に流れ込む。
【００２２】
次に、外側チャンバ４６の中の液体およびごく一部の気体は、ファイバパッド６８を通って反対の軸方向に動く。液体は、液滴がファイバパッド６８の中のファイバに対して衝突した時に気体からエントレインメントの解消と共に分離し、融合してより大きい滴になり、その滴は、ファイバパッド６８を通って動き、外側チャンバ４６の開放端を通って流出する。トレイデッキ３２が水平方向に向いている場合には、エントレインメントの解消と共に分離した液体は、トレイデッキ３２の上面に流出し、ドレインパイプ７２に流入し、蒸気分配器２４よりも下方の容器１０の下側部分に送られる。トレイデッキ３２が垂直方向に向いている場合には、エントレインメントの解消と共に分離した液体は、容器１０の最下部に単に流出する。次に、液体は、最下部の流出ノズル２６を通って容器１０から取り除かれる。
【００２３】
気体からの液滴またはミストの除去によって処理された流体流１８の主要部分は、内側チャンバ４０の開放端を通って流出する。ファイバパッド６８を通過する流体流１８からの気体のごく一部は、外側チャンバ４６の開放端を通って流出し、処理済の流体流２２として上側の流出ノズル２０を通って容器１０から流出する前に、流体流１８の主要部分に合流する。
【００２４】
以上により、本発明は、その構造体に固有の他の利点と共に、上記目的及び目標を全て実現するようによく適合されたものであることがわかるであろう。
【００２５】
特定の特徴及びサブコンビネーションは有用なものであり、他の特徴及びサブコンビネーションに関係なく使用されてもよいことが理解されるであろう。これは本発明の範囲によって想到されるものであり、本発明の範囲内である。
【００２６】
本発明の範囲から逸脱することなく、多くの考えられる実施形態が本発明から作られてよいため、本明細書に記載された又は添付図面に示された全ての事項は実例として解釈されるべきで、限定的な意味で解釈されるべきではないことが理解されるべきである。
【図１】
0006336478.tif 000002
【図２】
0006336478.tif 000003
【図３】
0006336478.tif 000004